(57)【要約】【課題】商品セットの作業性、陳列効果、持ち運びへの配慮がなされている優れた樹脂と紙との複合ケースを提供する。【解決手段】平面視横長状の紙製のカップ部と、前記カップ部に内周壁面に倣う態様で差し込まれる樹脂製の上側カバー部とから構成され、前記カップ部の構成壁面の下部に段落ち部を設けると共に、前記上側カバー部の下端に外側折り曲げ片を設け、上側カバー部をカップ部に差し込んだときには、上記段落ち部に外側折り曲げ片が落ち込み、前記段落ち部の上端と外側折り曲げ片の上端との係止により、カップ部に対して上側カバー部が抜け止め状態に成る。【選択図】 図８
2010254360.tif 000002
【特許請求の範囲】
【請求項１】
平面視横長状の紙製のカップ部と、前記カップ部に内周壁面に倣う態様で差し込まれる樹脂製の上側カバー部とから構成され、前記カップ部の構成壁面の下部に段落ち部を設けると共に、前記上側カバー部の下端に外側折り曲げ片を設け、上側カバー部をカップ部に差し込んだときには、上記段落ち部に外側折り曲げ片が落ち込み、前記段落ち部の上端と外側折り曲げ片の上端との係止により、カップ部に対して上側カバー部が抜け止め状態に成ることを特徴とする樹脂と紙との複合ケース。
【請求項２】
前記段落ち部は、カップ部の入り口及びその付近において紙を二枚重ねして形成され、前記入り口から離れた部分は一枚のみで形成され、これらの厚みによって生じる段差により構成されていることを特徴とする請求項1記載の樹脂と紙との複合ケース。
【請求項３】
前記段落ち部に外側折り曲げ片が落ち込んだ瞬間には、両者の当たりにより、衝突音を発するようにしてあることを特徴とする請求項1又は２記載の樹脂と紙との複合ケース。
【発明の詳細な説明】
【技術分野】
【０００１】
この発明は、樹脂と紙の組み合わせによる商品セットの作業性、陳列効果、持ち運び、環境に優れた樹脂と紙との複合ケースに関するものである。
【背景技術】
【０００２】
シャンプー等のボトル容器包装体としては、例えば特許文献１に示すようなものがある。
【０００３】
このボトル容器包装体は、外装ケース内に左右に間隔を開けて２本のボトル容器を並接し、これら２本のボトル容器間へ斜めに入る保持片であって、容器ホルダの背面台紙の高さ方向の途中部から隣接するボトル容器の胴体部間を通ってボトル容器の肩部付近まで斜め上方へ延接され、さらに、外装ケースの開閉用フラップの後方側へ向けて折り曲げられて、隣接するボトル容器のキャップ間を通って上縁が外装ケースの開閉用フラップに当接された保持片を容器ホルダの背面台紙を切り起して形成し、保持片と外装ケースの正面板間にチューブ容器を倒立した状態に収容している。
【０００４】
したがって、このボトル容器包装体によると、複数のボトル容器の横方向への移動を効率的に拘束可能なものとなる。
【０００５】
ところが、上記の容器包装体は、包装体として最も重要な機能である、商品セットの作業性、陳列効果、持ち運びへの配慮についてはほとんど配慮されていない。なお、この種の容器包装体では、環境についても配慮すべきである。
【先行技術文献】
【特許文献】
【０００６】
【特許文献１】特開平８−２３０８６９号公報（図１参照）
【発明の概要】
【発明が解決しようとする課題】
【０００７】
そこで、この発明では、商品セットの作業性、陳列効果、持ち運びへの配慮がなされている優れた樹脂と紙との複合ケースを提供することを課題とする。  
【課題を解決するための手段】
【０００８】
（請求項１記載の発明）
この発明の樹脂と紙との複合ケースは、平面視横長状の紙製のカップ部と、前記カップ部に内周壁面に倣う態様で差し込まれる樹脂製の上側カバー部とから構成され、前記カップ部の構成壁面の下部に段落ち部を設けると共に、前記上側カバー部の下端に外側折り曲げ片を設け、上側カバーをカップ部に差し込んだときには、上記段落ち部に外側折り曲げ片が落ち込み、前記段落ち部の上端と外側折り曲げ片の上端との係止により、カップ部に対して上側カバー部が抜け止め状態に成る。
【０００９】
（請求項２記載の発明）
この発明の樹脂と紙との複合ケースは、上記請求項１記載の発明に関し、前記段落ち部は、カップ部の入り口及びその付近において紙を二枚重ねして形成され、前記入り口から離れた部分は一枚のみで形成され、これらの厚みによって生じる段差により構成されている。
【００１０】
（請求項３記載の発明）
この発明の樹脂と紙との複合ケースは、上記請求項１又は２記載の発明に関し、前記段落ち部に外側折り曲げ片が落ち込んだ瞬間には、両者の当たりにより、衝突音を発するようにしてある。
【発明の効果】
【００１１】
この発明は上記のような構成であり、次の効果を有する。
【００１２】
この発明の樹脂と紙との複合ケースによると、商品セットの作業性、陳列効果、持ち運びへの配慮がなされている優れたものとなる。
【図面の簡単な説明】
【００１３】
【図１】樹脂と紙との複合ケースのカップ部にシャンプー、コンディショナー、トリートメントを入れた状態を示す斜視図。
【図２】カップ部に上側カバー部を取り付ける直前の斜視図。
【図３】カップ部と上側カバー部を取り付けた状態の斜視図。
【図４】図１のＡ−Ａ断面図。
【図５】カップ部の展開図（裏面図）。
【図６】（１）〜（７）はカップ部の組立の工程図。
【図７】上側カバー部の展開図。
【図８】紙製のカップ部に樹脂製の上側カバー部３を密に外挿すると共に、両者を抜け止め手段により分離しないようにした複合ケース１の斜視図。
【図９】前記カップ部に上側カバー部を外挿させる直前の複合ケースの斜視図。
【図１０】図８のＢ−Ｂ断面図。
【図１１】前記カップ部の前面部を切り開らき、前記切り開いた状態の前記前面部を前に倒した状態の正面図。
【発明を実施するための形態】
【００１４】
以下、この発明の樹脂と紙との複合ケースを実施するための形態を、図面に基づいて詳細に説明する。
【実施例１】
【００１５】
図１は樹脂と紙との複合ケース１にカップ部にシャンプー９０、コンディショナー９１、トリートメント９２を入れた状態を示す斜視図、図２はカップ部２に上側カバー部３を取り付け直前の斜視図、図３はカップ部２と上側カバー部３を取り付けた状態の斜視図、図４は図１のＡ−Ａ断面図、図５はカップ部の展開図、図６の（１）〜（７）はカップ部２の組立の工程図、図７は上側カバー部３の展開図を示している。
【００１６】
（この樹脂と紙との複合ケース１の基本的構成について）
この複合ケース１は、図１や図２に示すように、平面視横長状の紙製のカップ部２と、前記カップ部２に内周壁面に倣う態様で差し込まれる樹脂製(環境についての配慮する場合は好ましくはポリプロピレン)の上側カバー部３とから構成されており、前記カップ部２の構成壁面の下部に段落ち部３５を設けると共に、前記上側カバー部３の下端に外側折り曲げ片２５を設け、上側カバー部３をカップ部２に差し込んだときには、上記段落ち部３５に外側折り曲げ片２５に落ち込み、前記段落ち部の上端と外側折り曲げ片２５の上端との係止により、カップ部２に対して上側カバー部３が抜け止め状態に成るようにしてある。
【００１７】
前記段落ち部３５は、図３や図４に示すように、カップ部２の入り口及びその付近においては紙を二枚重ねして（カップ部２の上部から下部までに至る外側紙３５ａと、カップ部２の上部から下部までに至らない内側紙３５ｂ）形成され、前記入り口から離れた部分においては一枚のみで形成され、これらの厚みによって生じる段差により構成されている。
【００１８】
外側折り曲げ片２５は、図４に示すように、前面部２０と後面部２２の下端部を外側に折り曲げるようにして構成されている。
【００１９】
そして、図２の状態から図３の状態に示すように、上記段落ち部３５に外側折り曲げ片２５が落ち込んだ瞬間には、両者の当たりにより、「衝突音」を発するようにしてある。
【００２０】
ここで、上記カップ部２の底形状は、図１に示すように、配列される全商品（シャンプー９０、コンディショナー９１、トリートメント９２）の略底形状よりも僅かに大きく設定してある。なお、僅かに大きく設定する理由は、段落ち部３５と外側折り曲げ片２５の係止が全域で行なわれるようにするためである。
【００２１】
（複合ケース１を構成するカップ部２について）
カップ部２は、図５に示すように、上面視において前面部２０と後面部２２とが平行になっており、横面部２１、２１は先端側に尖った形状となっている。そして正面視においては、前側の辺が中央部のみ凹んだ状態となっており、その他の辺については同じ高さで形成されている。このように前側の辺が中央のみ凹んだ状態としているのは、商品をできるだけ隠すことなく見せるようにするためである。
【００２２】
ここで、このカップ部２は、図５に示した紙片を折り曲げ線に基づいて折り込むことにより形成される。
【００２３】
このカップ部２は、図５に示すように、本体Ａの周りに紙片ア、ウ、エ、オ、カ、タ、チと、本体Ｂの周りに紙片イ、キ、ク、ケ、コ、サ、ツ、テにより構成されており、更に紙片相互間には折り曲げ線(一部符号を入れている)を形成してある。
図６において
（１）は展開した状態のカップ部２である。
（２）前記（１）の状態から紙片ア、イに接着部Ｓを形成する。
（３）前記（２）の状態から紙片ア、イを、折り曲げ線ア’、イ’で谷折して、本体Ａ，  Ｂに接着する。
（４）前記（３）の状態から、紙片ウは折り曲げ線ウ’で、紙片エは折り曲げ線エ’で、紙片オ、カは折り曲げ線カ’で、紙片キ、クは折り曲げ線ク’で、紙片ケは折り曲げ線ケ’で、紙片コ、サは折り曲げ線サ’で、それぞれ谷折りする。
（５）前記（４）の状態から紙片オとクとコを、オ’とク’とコ’の折り曲げ線で谷折りし、折られた部分の表側にそれぞれ接着部Ｓを形成する。また、紙片シの裏側(背面側)にも接着部を設ける。
（６）前記（５）の状態から折り目Ｂ及び折り目Ｃをそれぞれ谷折すると共に、紙片シを、すき間Ａに入れて（紙片アと紙片ウにそれぞれ接着しない様にして）、本体Ａに固定する（紙片シの裏側が本体Ａに固定されることになる）。この状態で、紙片ウとク、エとオ、ケとコ、紙片シと本体Ａが接着状態になる。
（７）前記（６）の状態（折り畳み状態）でカップ部２が完成する。これを外側に向かって開けると、カップ部２が完成する。
【００２４】
（複合ケース１を構成する上側カバー部３について）
上側カバー部３は、図１や図７に示すように、前面部２０と、後面部２２と、横面部２１、２１、２１、２１と、接着部Ｓ１、Ｓ１、外側折り曲げ片２５、２５、折曲頂部２６と、取手部２３とから構成されている。
【００２５】
この上側カバー３を組み立てる場合、以下のようにする。
（１）先ず、折曲頂部２６で折り曲げる。この状態では前面部２０における横面部２１と、後面部２２における横面部２１とが対向した状態となっている。
（２）左右の接着部Ｓ１を折り曲げる態様で、前面部２０における横面部２１と、後面部２２における横面部２１とを接着部Ｓ１で一体化する。
（３）外側折り曲げ片２５、２５を外側に折り曲げる。
【００２６】
以上のようにすると、上記カップ部２の上部開口に上側カバー部３が密に挿入され、前記挿入状態において段落ち部３５と外側折り曲げ片２５との係止により抜け止め状態が確保される。
【００２７】
（この樹脂と紙との複合ケース１の優れた点について）
（１）商品セットの作業性について
この複合ケース１の使用において、例えばシャンプー９０、コンディショナー９１、トリートメント９２のセットをカップ部２の所定位置にセットし、次いでカップ部２に上側カバー部３を簡単に被せるだけである。また、カップ部２に上側カバー部３を完全に差し込むと、段落ち部３５の上端と外側折り曲げ片２５の上端との係止により抜け止め状態となる。そして、この際においての当たりにより衝突音が発生する。
【００２８】
したがって、作業者は衝突音が発した時点で確実に抜け止め状態となり、カップ部２に対して上側カバー部３が不用意に抜けないことを感知できることになる。
（２）陳列効果について
クリアーなポリプロピレン樹脂は弾性があるため、商品とのフィット感があり、透明性を活かした陳列効果が期待できる。
【００２９】
また、カップ部２の正面を凹型にすることで、商品をできるだけ隠すことなく見せることができ、より高いアピールが可能になる。
【００３０】
（３）環境への配慮について
複合ケース１は、紙製のカップ部２と、ポリプロピレン製の上側カバー部３のみで構成されているから、環境についての配慮がなされている。
【００３１】
（４）持ち運びについて
またポリプロピレン性の上側カバー３の上端付近に、取手部２３を設けてあるから、持ち運びしやすい。
【００３２】
（その他）
上記実施例では、樹脂と紙の組み合わせによる商品セットは、上記実施例に限られるものではない。
【実施例２】
【００３３】
図８は紙製のカップ部２’に樹脂製の上側カバー部３’を密に外挿すると共に、両者を抜け止め手段４’により分離しないようにした複合ケース１’の斜視図、図９は前記カップ部２’に上側カバー部３’を外挿させる直前の複合ケース１’の斜視図、図１０は図８のＢ−Ｂ断面図、図１１は前記カップ部２’の前面部２０’を切り開らき、前記切り開いた状態の前記前面部２０’を前に倒した状態の正面図を示している。
【００３４】
上記複合ケース１’は、図１や図２に示すように、段落ち部３５の上端と外側折り曲げ片２５の上端との係止により抜け止め状態にしているものであるが、この形態のものは、抜け止め手段４として、カップ部２’側の逆三角形状の孔部４１と、上側カバー部３’の下方部に設けられた円形状の突起部４０（中央部が折れる）とから構成されている。
【００３５】
ここで、この形態では、図１０に示すように、カップ部２’の底に平行に組み込んだ商品保持片５で商品を保持するようにしてある。この商品保持片５は、図９及び図１０に示すよう、カップ部２’の周壁内面を構成する内側紙３５ｂ’、３５ｂ’を利用して形成されている。
【００３６】
すなわち、前面部２０’及び後面部２２’を構成する外・内側紙３５ａ’、３５ａ’、３５ｂ’、３５ｂ’のうち、内側紙３５ｂ’、３５ｂ’のみを切って、上下二本の保持片５０、５１を形成すると共にその一方を右開き（または左開き）と、他方を左開き（又は右開き）に、なるようにしている。そして、上記の上側の保持片５０、５０相互を、下側の保持片５１、５１相互を、それぞれ糊付け等することにより商品保持片５を形成させ、この商品保持片５とカップ部２’の側部により、商品は倒れることなく確実に保持される。
【符号の説明】
【００３７】
１        複合ケース
１’      複合ケース１’
２        カップ部
２’      カップ部
２０      前面部
２０’    前面部
２１      横面部
２２      後面部
２２’    後面部
２３      取手部
２４      開口部
２５      外側折曲げ片
３        上側カバー部
３’      上側カバー部
３５      段落ち部
３５ａ    外側紙
３５ｂ    内側紙
３５ａ’  外側紙
３５ｂ’  内側紙
４        抜け止め手段
４０      突起部
４１      孔部
５        商品保持片
５０      保持片
５１      保持片
【図１】
2010254360.tif 000003
【図２】
2010254360.tif 000004
【図３】
2010254360.tif 000005
【図４】
2010254360.tif 000006
【図５】
2010254360.tif 000007
【図６】
2010254360.tif 000008
【図７】
2010254360.tif 000009
【図８】
2010254360.tif 000010
【図９】
2010254360.tif 000011
【図１０】
2010254360.tif 000012
【図１１】
2010254360.tif 000013